(57)【要約】【課題】接触金具の可動ばね片の変形などを防止して設計通りの保持力でランプピンを保持するようにする。【解決手段】複数の接触金具１０と、これらを収納するハウジングとによりランプソケットを構成した。接触金具１０は、固定片１００と、この固定片１００の一端部１００ａからＵ字状に湾曲するばね支点部１０１と、このばね支点部１０１の湾曲する先端に連設された保護枠１０３と、この保護枠１０３内から切り起こされたものであって、ランプピンを保持するための凹状のランプピン保持部１０４ａを中央部に有し、保護枠１０３におけるばね支点部１０１側で支持されて保護枠１０３とともに固定片１００と対向する可動ばね片１０４とを一体に有する形状に形成されている。【選択図】　図１
2004087297.tif 000002
【特許請求の範囲】
【請求項１】
複数の接触金具と、これら複数の接触金具をこれらにランプのランプピンを接離自在に収納するハウジングとにより構成されるランプソケットであって、前記接触金具は、保護枠と、この保護枠内から切り起こされたものであって前記ランプピンを保持するためのランプピン保持部を有する可動ばね片とを一体に有する形状に形成されることを特徴とするランプソケット。
【請求項２】
前記接触金具は、一端部に対して外部から挿入された導体線を挿入するための挿入孔を有する他端部が立設されてなる固定片と、この固定片の一端部からＵ字状に湾曲するばね支点部と、前記固定片の他端部側からこの他端部に対して前記一端部側に傾斜するようにして突出し、前記挿入孔に挿入された導体線を鎖錠する鎖錠片とをさらに一体に有する形状に形成され、前記保護枠は前記ばね支点部の湾曲する先端に連設され、前記可動ばね片は前記保護枠における前記ばね支点部側で支持され、前記保護枠および前記可動ばね片は前記固定片と対向していることを特徴とする請求項１記載のランプソケット。
【請求項３】
前記接触金具は、前記保護枠の一端から前記ランプピン保持部の裏側にＵ字状に湾曲するばね支点部と、このばね支点部の湾曲する先端からＬ字状に屈曲して先端部が前記保護枠および前記可動ばね片と対向する端子板部と、この端子板部の基端部側から切り起こされてその先端部側に突出し前記基端部側の孔から挿入された導体線を前記端子板部の先端部とともに鎖錠する鎖錠片とをさらに一体に有する形状に形成され、前記可動ばね片は、前記保護枠における前記ばね支点部側とこの対向側とで支持されていることを特徴とする請求項１記載のランプソケット。
【請求項４】
前記ランプの回転に応じて前記ランプピンが前記接触金具に接離することを特徴とする請求項１から３のいずれかに記載のランプソケット。
【発明の詳細な説明】
【０００１】
【発明の属する技術分野】
本発明は、複数の接触金具と、これら複数の接触金具をこれらにランプのランプピンを接離自在に収納するハウジングとにより構成されるランプソケットに関するものである。
【０００２】
【従来の技術】
図６は従来のランプソケットを、ソケットカバーを外した状態で見た図、図７は同ランプソケットの分解図である（実開平６−３１０９６号公報）。これらの図に示すランプソケットは、ソケットボディ３１０およびソケットカバー３１１により構成されるハウジング３１内に、一対の導電性の接触金具３０などを収納する構成になっている。
【０００３】
図８は従来の別のランプソケットを示す図である（上記公報参照）。この図に示すランプソケットも、ハウジング４１内に、一対の導電性の接触金具４０を収納する構成になっている。
【０００４】
図９は従来の別のランプソケットを示す図である（実公昭５１−５３６６４号公報）。この図に示すランプソケットも、ソケットボディ５１０およびソケットカバー５１１により構成されるハウジング５１内に、一対の導電性の接触金具５０を収納する構成になっている。
【０００５】
このように、従来のランプソケットでは、ランプ（例えば直管形蛍光ランプ）のランプピンの回転によって押し広げられる接触金具の可動ばね片と、ハウジングとの間にクリアランスが設けられ、可動ばね片がスムーズに動いてその復帰力でランプピンを押圧して保持するようになっている。
【０００６】
【発明が解決しようとする課題】
しかしながら、上記従来のランプソケットでは、ハウジングの組立時におけるソケットボディおよびソケットカバーに対する過度の押圧や、接触金具の可動ばね片の変形などに起因して、可動ばね片がハウジングに当接することがあり、この場合、可動ばね片のスムーズな動きが阻害され、ランプピンを設計通りの保持力で保持することができないという問題が生じる。
【０００７】
本発明は、上記事情に鑑みてなされたものであり、接触金具の可動ばね片の変形などを防止して設計通りの保持力でランプピンを保持することができるランプソケットを提供することを目的とする。
【０００８】
【課題を解決するための手段】
上記課題を解決するための請求項１記載の発明は、複数の接触金具と、これら複数の接触金具をこれらにランプのランプピンを接離自在に収納するハウジングとにより構成されるランプソケットであって、前記接触金具は、保護枠と、この保護枠内から切り起こされたものであって前記ランプピンを保持するためのランプピン保持部を有する可動ばね片とを一体に有する形状に形成されることを特徴とする。
【０００９】
請求項２記載の発明は、請求項１記載のランプソケットにおいて、前記接触金具は、一端部に対して外部から挿入された導体線を挿入するための挿入孔を有する他端部が立設されてなる固定片と、この固定片の一端部からＵ字状に湾曲するばね支点部と、前記固定片の他端部側からこの他端部に対して前記一端部側に傾斜するようにして突出し、前記挿入孔に挿入された導体線を鎖錠する鎖錠片とをさらに一体に有する形状に形成され、前記保護枠は前記ばね支点部の湾曲する先端に連設され、前記可動ばね片は前記保護枠における前記ばね支点部側で支持され、前記保護枠および前記可動ばね片は前記固定片と対向していることを特徴とする。
【００１０】
請求項３記載の発明は、請求項１記載のランプソケットにおいて、前記接触金具は、前記保護枠の一端から前記ランプピン保持部の裏側にＵ字状に湾曲するばね支点部と、このばね支点部の湾曲する先端からＬ字状に屈曲して先端部が前記保護枠および前記可動ばね片と対向する端子板部と、この端子板部の基端部側から切り起こされてその先端部側に突出し前記基端部側の孔から挿入された導体線を前記端子板部の先端部とともに鎖錠する鎖錠片とをさらに一体に有する形状に形成され、前記可動ばね片は、前記保護枠における前記ばね支点部側とこの対向側とで支持されていることを特徴とする。
【００１１】
請求項４記載の発明は、請求項１から３のいずれかに記載のランプソケットにおいて、前記ランプの回転に応じて前記ランプピンが前記接触金具に接離することを特徴とする。
【００１２】
【発明の実施の形態】
（第１実施形態）
図１は本発明に係る第１実施形態のランプソケットに収納される接触金具の一部を示す斜視図、図２は同接触金具を収納するハウジングを示す図である。
【００１３】
第１実施形態のランプソケットは、図１，図２に示すように、複数（図２では一対）の導電性の接触金具１０と、これら複数の接触金具１０をこれらにランプのランプピン１ａを接離自在に収納する絶縁性のハウジング１１とにより構成されている。
【００１４】
接触金具１０は、一端部１００ａに対して外部から挿入された導体線を挿入するための挿入孔（図示せず）を有する他端部１００ｂが立設されてなる固定片１００と、この固定片１００の一端部１００ａからＵ字状に湾曲するばね支点部１０１と、固定片１００の他端部１００ｂ側からこの他端部１００ｂに対して一端部１００ａ側に傾斜するようにして突出し、上記挿入孔に挿入された導体線を鎖錠する鎖錠片１０２と、ばね支点部１０１の湾曲する先端に連設された保護枠１０３と、この保護枠１０３内から切り起こされたものであって、ランプピンを保持するための凹状のランプピン保持部１０４ａを中央部に有し、保護枠１０３におけるばね支点部１０１側で支持されて保護枠１０３とともに固定片１００と対向する可動ばね片１０４とを一体に有する形状に形成されている。
【００１５】
ここで、図１では、保護枠１０３（幅寸法は可動ばね片の約１／２に設定）内からは、Ｔ字状の可動ばね片１０４が内側（図２参照）に切り起こされて、保護枠１０３がＴ字状の孔１０３ａを有する構造になっている。これにより、可動ばね片１０４の幅方向において、可動ばね片１０４とハウジング１１との間に必ずクリアランスが生まれ、保護枠１０３がハウジング１１に当接したとしても、可動ばね片１０４はハウジング１１から離隔した状態となる。
【００１６】
そして、ランプピン保持部１０４ａが凹状に形成されることで、Ｔ字状の可動ばね片１０４の高さ寸法（長手方向の寸法）が短くなり、Ｔ字状の可動ばね片１０４の頭部１０４ａがＴ字状の孔１０３ａの足部１０３ｂに対向することとなり、保護枠１０３が固定片１００側に可動ばね片１０４が変形するのを妨げて可動ばね片１０４を保護するようになっている。
【００１７】
ハウジング１１は、複数の接触金具１０を、これらの可動ばね片１０４側を内向きに対向配置して収納した状態で、各接触金具１０の外側におけるばね支点部１０１および固定片１００の他端部１００ｂと当接（ないし隣接、以下同様）する当接部１１ａ，１１ｂ，１１ｃを内部に有している。また、ハウジング１１には、外部から電線の導体線を挿入するための電線挿入孔１１ｄが接触金具１０の他端部１００ｂの挿入孔に対応する位置に形成されているほか、外部からランプのランプピン１ａを挿入するためのＹ字状のランプピン挿入溝１１ｅが形成されている。さらに、ハウジング１１は、ソケットボディ１１０およびソケットカバー１１１により構成され、接触金具１０の保護枠１０３を狭持する構造になっている。なお、図２（ｂ）は、可動ばね片１０４のランプピン保持部１０４ａの中央部が保護枠１０３の孔１０３ａに填り込み、凹状のランプピン保持部１０４ａがランプピン１ａの外側を押接している状態を示している。
【００１８】
このように、接触金具１０が、保護枠１０３と、この保護枠１０３内から切り起こされた可動ばね片１０４とを一体に有する形状に形成されるので、保護枠１０３の幅方向において、可動ばね片１０４とハウジング１１との間に必ずクリアランスが生まれ、保護枠１０３がハウジング１１に狭持されて当接しても、可動ばね片１０４がハウジング１１から離隔した状態となり、ランプピン保持部１０４ａにより設計通りの保持力でランプピン１ａを保持することができる。なお、ハウジングが外力に対して変形し易い熱可塑性樹脂などにより形成され、コールドカシメなどの樹脂圧潰カシメやねじ止めなどで組み立てられる場合、従来では、可動ばね片のスムーズな動きを過度の締め付けや押し付けによって妨げないように、ねじ締め付けトルクや押圧が厳しく管理されるが、本実施形態では、それらの管理をそれほど厳しくする必要がなく、生産性の向上がはかれる。
【００１９】
また、回転子のないランプソケットでは、ランプの装着時にランプピンが誤ってランプピン保持部の裏側に入り込むことがあるが、本実施形態では、保護枠１０３の一部がランプピン挿入溝１１ｅにおけるランプピン保持部１０４ａの裏側に位置するので、別部材を使用することなく、ランプピンが誤ってランプピン保持部の裏側に入り込むのを防止することができる。
【００２０】
また、ソケットボディ１１０およびソケットカバー１１１により接触金具１０の保護枠１０３を狭持するので、接触金具１０をハウジング１１内でがたつかないようにすることができる。
【００２１】
さらに、保護枠１０３が可動ばね片１０４を保護するので、プレス成形加工後からハウジング１１内への組込みの間に可動ばね片１０４が変形し難くなり、ランプピン保持部１０４ａでのランプピン１ａの接続状態が安定する。接触金具を単品加工ではなく連続端子としてフープ状に巻き取る場合も同様である。
【００２２】
（第２実施形態）
図３は本発明に係る第２実施形態のランプソケットに収納される接触金具の一部を示す斜視図、図４は同接触金具を収納するハウジングを示す図、図５はランプソケットの外観を示す図である。
【００２３】
第２実施形態のランプソケットは、図３〜図５に示すように、複数（図４では一対）の導電性の接触金具２０と、これら複数の接触金具２０をこれらにランプのランプピン１ａを接離自在に収納する絶縁性のハウジング２１とにより構成されている。
【００２４】
接触金具２０は、保護枠２００と、この保護枠２００内から切り起こされたものであって、ランプピン１ａを保持するための凹状のランプピン保持部２０１ａを有する可動ばね片２０１と、保護枠２００の一端からランプピン保持部２０１ａの裏側（突側）にＵ字状に湾曲するばね支点部２０２と、このばね支点部２０２の湾曲する先端からＬ字状に屈曲して先端部２０３ａが保護枠２００および可動ばね片２０１と対向する端子板部２０３と、この端子板部２０３の基端部２０３ｂ側から切り起こされてその先端部２０３ａ側に突出し、基端部２０３ｂ側の孔から挿入された導体線を端子板部２０３の先端部２０３ａとともに鎖錠する鎖錠片２０４とを一体に有する形状に形成されている。また、可動ばね片２０１は、保護枠２００におけるばね支点部２０２側とこの対向側との双方で支持されている。
【００２５】
ハウジング２１は、一の面に開口２１０ａを有する有底筒状に形成され複数の接触金具２０およびランプの回転に従動する回転子２２を収納するソケットボディ２１０と、このソケットボディ２１０の開口２１０ａ側に嵌め込み式で取着されるソケットカバー２１１とにより構成され、複数の接触金具２０を、これらの可動ばね片２０１側を内向きに対向配置して収納した状態で、複数の接触金具２０の外側における保護枠２００の他端（図４では上端）、ばね支点部２０２および端子板部２０３と当接する当接部２１０ｃ，２１０ｄ，２１０ｅをソケットボディ２１０の内部に有している。
【００２６】
ソケットボディ２１０において、当接部２１０ｃ，２１０ｄ，２１０ｅは、ソケットボディ２１０の内部に一体成形され、そのうちの当接部２１０ｄ，２１０ｅ近傍には、ストッパ２１０ｆが電線解錠時の鎖錠片１０４の広がり変形防止用として形成されている。また、一の側面には、電線の導体線を挿入するための電線挿入孔２１０ｇが形成され、その近傍に解錠用孔２１０ｈが形成されている。また、底部には、回転子２２が嵌合する窓孔２１０ｉが形成されている。さらに、ソケットボディ２１０およびソケットカバー２１１により、接触金具２０の保護枠２００を狭持する構造になっている。
【００２７】
このように、接触金具２０が、保護枠２００と、この保護枠２００内から切り起こされた可動ばね片２０１とを一体に有する形状に形成されるので、可動ばね片２０１とハウジング２１との間に必ずクリアランスが生まれ、保護枠２００がハウジング２１に狭持されて当接したとしても、可動ばね片２０１はハウジング２１から離隔した状態となり、ランプピン保持部２０１ａにより設計通りの保持力でランプピン１ａを保持することができる。
【００２８】
また、ソケットボディ２１０およびソケットカバー２１１により接触金具２０の保護枠２００を狭持するので、接触金具２０をハウジング２１内でがたつかないようにすることができる。
【００２９】
さらに、保護枠２００が可動ばね片２０１を保護するので、プレス成形加工後からハウジング２１内への組込みの間に可動ばね片２０１が変形し難くなり、ランプピン保持部２０１ａでのランプピン１ａの接続状態が安定する。接触金具を単品加工ではなく連続端子としてフープ状に巻き取る場合も同様である。
【００３０】
なお、上記各実施形態では、ランプピンは回転または略回転されてランプピン保持部に保持される構成になっているが、本発明のランプソケットは、ランプピンがそのまま押し込まれるものであっても構わない。
【００３１】
また、接触金具をハウジングに自動機で組み込む場合、接触金具の保護枠を自動機でつかむことができる形状にして攫保護枠とすることにより可動ばね片の変形を防止することができる。
【００３２】
【発明の効果】
以上のことから明らかなように、請求項１記載の発明は、複数の接触金具と、これら複数の接触金具をこれらにランプのランプピンを接離自在に収納するハウジングとにより構成されるランプソケットであって、前記接触金具は、保護枠と、この保護枠内から切り起こされたものであって前記ランプピンを保持するためのランプピン保持部を有する可動ばね片とを一体に有する形状に形成されるので、可動ばね片とハウジングとの間に必ずクリアランスが生まれ、可動ばね片はハウジングから離隔した状態となり、接触金具の可動ばね片の変形などを防止して設計通りの保持力でランプピンを保持することができる。
【００３３】
請求項２記載の発明は、請求項１記載のランプソケットにおいて、前記接触金具は、一端部に対して外部から挿入された導体線を挿入するための挿入孔を有する他端部が立設されてなる固定片と、この固定片の一端部からＵ字状に湾曲するばね支点部と、前記固定片の他端部側からこの他端部に対して前記一端部側に傾斜するようにして突出し、前記挿入孔に挿入された導体線を鎖錠する鎖錠片とをさらに一体に有する形状に形成され、前記保護枠は前記ばね支点部の湾曲する先端に連設され、前記可動ばね片は前記保護枠における前記ばね支点部側で支持され、前記保護枠および前記可動ばね片は前記固定片と対向しているので、別部材を使用することなく、ランプピンが誤ってランプピン保持部の裏側に入り込むのを防止することが可能となる。
【００３４】
請求項３記載の発明は、請求項１記載のランプソケットにおいて、前記接触金具は、前記保護枠の一端から前記ランプピン保持部の裏側にＵ字状に湾曲するばね支点部と、このばね支点部の湾曲する先端からＬ字状に屈曲して先端部が前記保護枠および前記可動ばね片と対向する端子板部と、この端子板部の基端部側から切り起こされてその先端部側に突出し前記基端部側の孔から挿入された導体線を前記端子板部の先端部とともに鎖錠する鎖錠片とをさらに一体に有する形状に形成され、前記可動ばね片は、前記保護枠における前記ばね支点部側とこの対向側とで支持されているのであり、この構成でも、接触金具の可動ばね片の変形などを防止して設計通りの保持力でランプピンを保持することができる。
【００３５】
請求項４記載の発明は、請求項１から３のいずれかに記載のランプソケットにおいて、前記ランプの回転に応じて前記ランプピンが前記接触金具に接離するのであり、この構成でも、接触金具の可動ばね片の変形などを防止して設計通りの保持力でランプピンを保持することができる。
【図面の簡単な説明】
【図１】本発明に係る第１実施形態のランプソケットに収納される接触金具の一部を示す斜視図である。
【図２】同接触金具を収納するハウジングを示す図である。
【図３】本発明に係る第２実施形態のランプソケットに収納される接触金具の一部を示す斜視図である。
【図４】同接触金具を収納するハウジングを示す図である。
【図５】ランプソケットの外観を示す図である。
【図６】従来のランプソケットを、ソケットカバーを外した状態で見た図である。
【図７】同ランプソケットの分解図である。
【図８】従来の別のランプソケットを示す図である。
【図９】従来の別のランプソケットを示す図である。
【符号の説明】
１０　接触金具
１００　固定片
１０１　ばね支点部
１０２　鎖錠片
１０３　保護枠
１０４　可動ばね片
１１　ハウジング
２０　接触金具
２００　保護枠
２０１　可動ばね片
２０２　ばね支点部
２０３　端子板部
２０４　鎖錠片
【図１】
2004087297.tif 000003
【図２】
2004087297.tif 000004
【図３】
2004087297.tif 000005
【図４】
2004087297.tif 000006
【図５】
2004087297.tif 000007
【図６】
2004087297.tif 000008
【図７】
2004087297.tif 000009
【図８】
2004087297.tif 000010
【図９】
2004087297.tif 000011